(57)【特許請求の範囲】
【請求項１】
周縁部に複数の電極端子が配設され、かつ中央部に絵素部が設けられた液晶パネルと、液晶駆動用ＩＣが搭載され、かつ配線群が形成された複数の配線板と、を備え、
前記液晶パネルの電極端子は、各配線板の配線群に対応して設けられており、
前記配線群は、前記絵素部へ信号を出力するための第１の配線と、隣接する配線板間での信号授受に寄与する第２の配線と、からなり、
前記第２の配線は、少なくとも、各配線板に搭載された液晶駆動用ＩＣのための駆動電源を供給するための配線を含んでおり、
前記複数の配線板の各々は、一辺の長手方向に沿って略帯状の端子接続部が設けられ、
上記第１の配線のうちの少なくとも一部の配線の先端は、配線板の上記一辺の少なくとも近傍にまで延びており、
前記端子接続部の長手方向の中央部で前記第１の配線が前記電極端子のうちの対応する電極端子と電気的に接続され、前記端子接続部の長手方向の端部側で前記第２の配線が前記電極端子のうちの対応する電極端子と電気的に接続された液晶表示装置において、
前記第１の配線は、前記絵素部へ上記液晶駆動用ＩＣを経由しない第１の信号を供給するための第１の信号用配線を含むと共に、前記第２の配線は隣接する配線板へ上記第１の信号を供給するための第２の信号用配線を含み、前記第１の信号用配線と前記第２の信号用配線とは他の配線を跨ぐジャンパー配線により電気的に接続されており、
隣接し合う２つの配線板の互いに対向する側に設けられた第２の配線に対応する前記液晶パネル上の電極端子は、対応するもの同士が、前記液晶パネル上に設けられたそれぞれの接続配線によって電気的に接続されており、これらの電極端子とこれらの接続配線を介して、前記隣接し合う２つの配線板の互いに対向する側に設けられた第２の配線同士が電気的に接続されており、
前記第２の配線のうち、前記液晶駆動用ＩＣのための駆動電源を供給するための配線および前記第２の信号用配線は、隣接する配線板上の対応する配線との距離が最短となるように、上記端子接続部において先端部分が屈曲して隣接する配線板と対向する辺まで延設されていることを特徴とする液晶表示装置。
【請求項２】
周縁部に複数の電極端子が配設され、かつ中央部に絵素部が設けられた液晶パネルと、液晶駆動用ＩＣが搭載され、かつ配線群が形成された複数の配線板と、を備え、
前記液晶パネルの電極端子は、各配線板の配線群に対応して設けられており、
前記配線群は、前記絵素部へ信号を出力するための第１の配線と、隣接する配線板間での信号授受に寄与する第２の配線と、からなり、
前記第２の配線は、少なくとも、各配線板に搭載された液晶駆動用ＩＣのための駆動電源を供給するための配線を含んでおり、
前記複数の配線板の各々は、一辺の長手方向に沿って略帯状の端子接続部が設けられ、
上記第１の配線のうちの少なくとも一部の配線の先端は、配線板の上記一辺の少なくとも近傍にまで延びており、
前記端子接続部の長手方向の中央部で前記第１の配線が前記電極端子のうちの対応する電極端子と電気的に接続され、前記端子接続部の長手方向の端部側で前記第２の配線が前記電極端子のうちの対応する電極端子と電気的に接続された液晶表示装置において、
前記第１の配線は、前記絵素部へ上記液晶駆動用ＩＣを経由しない第１の信号を供給するための第１の信号用配線を含むと共に、前記第２の配線は隣接する配線板へ上記第１の信号を供給するための第２の信号用配線を含み、前記第１の信号用配線と前記第２の信号用配線とは前記端子接続部の外側で第１の引き回し配線により電気的に接続されており、
前記配線板内には２本の第１の信号用配線を含み、前記２本の第１の信号用配線同士は、前記端子接続部の外側で液晶駆動用ＩＣ下を走る第２の引き回し配線により電気的に接続されており、
隣接し合う２つの配線板の互いに対向する側に設けられた第２の配線に対応する前記液晶パネル上の電極端子は、対応するもの同士が前記液晶パネル上に設けられたそれぞれの接続配線によって電気的に接続されており、これらの電極端子とこれらの接続配線を介して、前記隣接し合う２つの配線板の互いに対向する側に設けられた第２の配線同士が電気的に接続されており、
前記第２の配線のうち、前記液晶駆動用ＩＣのための駆動電源を供給するための配線および前記第２の信号用配線は、隣接する配線板上の対応する配線との距離が最短となるように、上記端子接続部において先端部分が屈曲して隣接する配線板と対向する辺まで延設されていることを特徴とする液晶表示装置。
【請求項３】
前記第１および第２の信号用配線は、前記第１の信号として対向電極用電源電圧を供給するための対向電極用配線であることを特徴とする請求項１または２に記載の液晶表示装置。
【請求項４】
前記接続配線は高抵抗配線と低抵抗配線とを含み、前記第２の信号用配線と前記隣接する配線板の第２の信号用配線は低抵抗配線により電気的に接続されていることを特徴とする請求項１乃至３のいずれか１つに記載の液晶表示装置。
【請求項５】
前記配線板の表面に接地端子を露出させ、外部接地端子と直接接触させていることを特徴とする請求項１乃至４のいずれか１つに記載の液晶表示装置。
【発明の詳細な説明】
【０００１】
【発明の属する技術分野】
本発明は、液晶パネルにＴＣＰが実装された液晶表示装置に関する。
【０００２】
【従来の技術】
従来、液晶表示装置における液晶パネルと駆動ＩＣとの実装構造としてＴＣＰ（Ｔａｐｅ  Ｃａｒｒｉｅｒ  Ｐａｃｋａｇｅ）方式が主に採用されていた。ＴＣＰ方式の液晶表示装置を図７に示す。図７（ａ）はＴＣＰ方式の液晶表示装置の概略図であり、図７（ｂ）は図７（ａ）に搭載されるソースＴＣＰ（またはゲートＴＣＰ）の概略図である。
【０００３】
図７において、ＴＣＰ方式の液晶表示装置５００は、液晶パネル５０１の周縁に液晶パネル５０１のゲート信号線またはソース信号線に信号を供給するためのゲートＴＣＰ５０２またはソースＴＣＰ５０３と、各ＴＣＰ５０２、５０３に外部信号を供給するための外部回路基板５０４と、を備えてなる。
【０００４】
また、ゲートＴＣＰ５０２またはソースＴＣＰ５０３の構成は図７（ｂ）に示すように、フレキシブル基材５０６上に液晶駆動用ＩＣ５０５と、液晶駆動用ＩＣ５０５に外部信号（画像データ信号、ＩＣ駆動用電源電圧、対向電極駆動用電源電圧など）を供給するための信号入力配線５０７と、液晶駆動用ＩＣ５０５から出力された信号を液晶パネル５０１へ供給るための信号出力配線５０８とを備えている。
【０００５】
前記各ＴＣＰ５０２、５０３の信号入力配線５０７は液晶パネル５０１の外部にある回路基板５０４上の端子と電気的に接続されており、回路基板５０４上の端子から外部信号を液晶駆動用ＩＣ５０５に導入している。
【０００６】
ところで、このＴＣＰ方式の液晶表示装置５００は、信号を外部回路基板５０４から各ＴＣＰ５０２、５０３へ直接個別に入力する方式であるため、外部回路基板５０４上では非常に多数の配線が必要となる。このため、製造工程の複雑化、コストアップ、信頼性の低下等の不具合が生じている。
【０００７】
そこで、上記ＴＣＰ方式に対し、近年では一旦、一つのＴＣＰへ入力した信号を順次隣接するＴＣＰへ伝搬させて行くという、所謂“信号伝搬方式”が導入されてきている。この方式については、例えば特開平４―３１３７３１号公報、実開平３―１１４８２０号、特開平１０―２１４８５８号公報等に開示されている。
【０００８】
より詳細な、信号伝搬方式の液晶表示装置に搭載されているゲートＴＣＰまたはソースＴＣＰの構成は以下の通りである。すなわち、フレキシブル基材上に液晶駆動用ＩＣと、該液晶駆動用ＩＣに外部信号を入力するための信号入力配線と、液晶駆動ＩＣから液晶パネルへ映像信号を供給するための信号出力配線と、さらに隣接するＴＣＰに液晶駆動信号を出力するための配線（以下、中継配線と称する）が搭載されている。
【０００９】
一方、液晶パネル側の、周縁部の隣り合う２つのＴＣＰが搭載される部分の間隙部には、２つのＴＣＰを電気的に接続するための接続配線が設けられている。
【００１０】
ここで、互いに隣り合う２つのＴＣＰ（仮に、第１のＴＣＰ、第２のＴＣＰと称する）間の信号伝搬経路を説明すれば以下の通りである。
【００１１】
まず回路基板からの外部信号が信号入力配線を介して第１の液晶駆動ＩＣに供給されると、この信号に応じた映像信号が液晶駆動ＩＣ及び信号出力配線を経て液晶パネルに送られる。
【００１２】
他方、第１のＴＣＰに入力された外部信号のうちの一部が第１のＴＣＰ上の中継配線へ導入され、液晶パネル上の接続配線を介して隣り合う第２のＴＣＰ上の入力信号配線に供給される。
【００１３】
したがって、回路基板から一旦、信号がＴＣＰへ入力されると、その一部がＴＣＰの液晶駆動用ＩＣを経て液晶パネルの絵素へ出力され、その他の信号がＴＣＰ上の中継配線及び液晶パネル基板上の接続配線を介して順次、隣接するＴＣＰへ伝搬される。
【００１４】
【発明が解決しようとする課題】
このように信号伝搬方式によれば、ＴＣＰ方式に比べて、外部回路基板からＴＣＰへの入力に必要な配線数を大幅に削減することが可能なため、回路基板のコストダウンには有効な方式となっている。
【００１５】
上記特開平４―３１３７３１号公報及び実開平３−１１４８２０号では、各ＴＣＰに順次信号を伝搬させるために液晶パネルの周縁部全域にわたり何度も屈曲しながら縦走するバスラインを設けることにより、外部回路基板が不要であることを示唆している。
【００１６】
このように、以上２件の公報には外部回路基板を削減するための方法が開示されている。しかしながら、以上２件の公報に開示されている技術では、バスラインが非常に長いため配線の高抵抗化を招いている。また、一般的に液晶パネル上の配線はガラス基板上に形成する必要があり、外部回路基板やＴＣＰ上の配線と比較して配線抵抗値が非常に高いものを使わざるを得ないため、さらなる配線の高抵抗化、それを原因として信号の伝搬遅延等の問題を引き起こしている。また、導入する信号については言及されておらず、実用上問題が生じてくる。特に、ＴＣＰ上の液晶駆動用ＩＣを駆動するための電源電圧や対向電極を駆動するための電源電圧等は抵抗による電圧降下が大きいと動作上が生じてくることがあり、それを防ぐために低抵抗の下で伝搬させる必要がある。そこで、このような信号については実際には、図８に示すように回路基板５０４を備えなければならず、その回路基板５０４から各ＴＣＰに対してそれぞれ個別に入力しなければならなかった。
【００１７】
尚、特開平１０―２１４８５８号公報には、液晶駆動用ＩＣを駆動するための電源電圧用配線がＴＣＰの両側端まで延びていることが開示されており、それを隣接間のＴＣＰ同士で接続すれば、図８に示すような外部回路基板を削減することが可能である。また、隣接間のＴＣＰ同士を接続すれば良いため、上記２件の公報に開示している技術のように、液晶表示パネル上に周縁部全域にわたるような長いバスラインを形成する必要もない。しかしながら、該公報は対向電極電圧用配線のように、液晶駆動用ＩＣに入力する必要はないが、液晶表示パネルの絵素部に出力するための信号をＴＣＰ上で伝搬する配線の構成については、一切開示されていないため、そのような信号を用いる場合、実施上不具合を招くものである。また、該公報に開示されたＴＣＰは、接続端子がＴＣＰの一辺だけではなく、複数の辺に沿って設けられている構成であるために、液晶パネルとの接続時に異方性導電テープの貼付工程が複雑化するという不具合が生じている。
【００１８】
本発明は上記課題を解決するためになされたものであり、その目的とするところは、外部回路基板をなくすことによりモジュールサイズの縮小及び軽量化を実現した液晶表示装置を低コストで、かつ不具合を招かずに提供することにある。
【００１９】
【課題を解決するための手段】
本発明の液晶表示装置は、周縁部に複数の電極端子が配設され、かつ中央部に絵素部が設けられた液晶パネルと、液晶駆動用ＩＣが搭載され、かつ配線群が形成された複数の配線板と、を備え、前記液晶パネルの電極端子は、各配線板の配線群に対応して設けられており、前記配線群は、前記絵素部へ信号を出力するための第１の配線と、隣接する配線板間での信号授受に寄与する第２の配線と、からなり、前記第２の配線は、少なくとも、各配線板に搭載された液晶駆動用ＩＣのための駆動電源を供給するための配線を含んでおり、前記複数の配線板の各々は、一辺の長手方向に沿って略帯状の端子接続部が設けられ、上記第１の配線のうちの少なくとも一部の配線の先端は、配線板の上記一辺の少なくとも近傍にまで延びており、前記端子接続部の長手方向の中央部で前記第１の配線が前記電極端子のうちの対応する電極端子と電気的に接続され、前記端子接続部の長手方向の端部側で前記第２の配線が前記電極端子のうちの対応する電極端子と電気的に接続された構成を有することを前提にしたものである。
【００２０】
本発明に係る液晶表示装置は、上記前提となる構成において、前記第１の配線は前記絵素部へ上記液晶駆動用ＩＣを経由しない第１の信号を供給するための第１の信号用配線を含み、前記第２の配線は隣接する配線板へ第１の信号を供給するための第２の信号用配線を含むとともに、前記第１の信号用配線と前記第２の信号用配線とが電気的に接続されている。
【００２１】
そして、本発明の一側面では、前記第１の信号用配線と前記第２の信号用配線とが、他の配線を跨ぐジャンパー配線により電気的に接続されている。
【００２２】
一方、本発明の別の側面では、前記第１の信号用配線と前記第２の信号用配線とが、前記端子接続部の外側で第１の引き回し配線により電気的に接続されている。
【００２３】
さらに、前記別の側面においては、前記配線板内には２本の第１の信号用配線を含み、前記２本の第１の信号用配線同士が、前記端子接続部の外側で第２の引き回し配線により電気的に接続されている。
【００２４】
また、本発明の上記いずれの側面においても、前記第２の配線のうち、前記液晶駆動用ＩＣのための駆動電源を供給するための配線および前記第２の信号用配線は、隣接する配線板上の対応する配線との距離が最短となるように、上記端子接続部において先端部分が屈曲して隣接する配線板と対向する辺の端部まで延設されている。
【００２５】
そして、隣接し合う２つの配線板の互いに対向する側に設けられた第２の配線に対応する前記液晶パネル上の電極端子は、対応するもの同士が、前記液晶パネル上に設けられたそれぞれの接続配線によって電気的に接続されており、これらの電極端子とこれらの接続配線を介して、前記隣接し合う２つの配線板の互いに対向する側に設けられた第２の配線同士が電気的に接続されている。
【００２６】
一実施形態においては、前記第１の接続配線は高抵抗配線と低抵抗配線とを含み、前記第２の信号用配線と前記隣接する配線板の第２の信号用配線は低抵抗配線により電気的に接続されている。
【００２７】
一実施形態においては、前記第１および第２の信号用配線は、前記第１の信号として対向電極用電源電圧を供給するための対向電極用配線である。
【００２８】
【００２９】
【００３０】
また、一実施形態においては、前記配線板の表面に接地端子を露出させ、外部接地端子と直接接触させている。
【００３１】
本願発明は、信号伝搬方式の液晶表示装置に関するものである。これに搭載されている複数の配線板は、それぞれの周縁に略帯状の領域（端子接続部）内に複数の接続端子を有しており、接続端子はその領域内で液晶パネル上の対応する電極端子と電気的に接続している。さらに、配線板上の接続端子は、略帯状の領域の長手方向の中央部に絵素部へ信号を供給するための端子群（第１の配線）が、第１の配線よりも端部側に隣接する配線板との信号授受に寄与する端子群（第２の配線）が設けられている。なお、第２の配線は、少なくとも、各配線板に搭載された液晶駆動用ＩＣのための駆動電源を供給するための配線を含んでいる。このように、端子接続部が略帯状となっているため、配線板と液晶パネルとの接続を一括して行うことができる。また、互いに隣接する配線板では、信号授受に寄与する端子群が互いに近接して設けられるため、信号伝搬方式であっても非常に低抵抗の下で、配線板間の信号授受を行うことができる。以上により、本発明によれば、外部回路基板を廃止することが可能となり、このことにより部材コストの削減、外部回路基板接続工程廃止による工程削減、工程数削減による良品率の向上、モジュール形態の簡素化による薄型化、組み立て工数の削減等を図ることができる。
【００３２】
また、第１の配線は絵素部に液晶駆動用ＩＣを経由しない第１の信号（例えば対向電圧）を供給するための第１の信号用配線を含み、第２の配線は隣接する配線板へ第１の信号を供給するための第２の信号用配線を含むとともに、第１の信号用配線と第２の信号用配線とが配線板上で互いに電気的に接続されていることにより、液晶パネル上で他の配線と交わることなく例えば対向電圧を液晶パネルへ供給することができる。また、対向電圧の伝搬経路を可及的に低抵抗化することができる。
【００３３】
また、第１の信号用配線と第２の信号用配線とが、他の配線を跨ぐジャンパー配線により電気的に接続されていることにより、低抵抗かつ簡単な工程で両配線を接続することができる。さらに、配線板の面積を拡大することなく配線同士を接続するので、液晶表示装置の額縁幅を最小にとどめることができる。
【００３４】
また、第１の信号用配線と第２の信号用配線とが、端子接続部の外側で引き回し配線を利用して電気的に接続されていることにより、配線板の製造工程を増やす必要がなく、かつ、低抵抗で両配線を接続することができる。尚、第１および第２の信号用配線と引き回し配線というように名称を分けて記載しているが、第１または第２の信号用配線が引き回し配線を兼ねている場合でも構わない。
【００３５】
また、配線板内には２本の第１の信号用配線を含み、２本の第１の信号用配線同士が、端子接続部の外側で引き回し配線を利用して電気的に接続されていることにより、第２の信号用配線から供給される第１の信号を２個所から絵素部へ出力することができるので、第１の信号用配線自体の低抵抗化を図ることができ、第１の信号の遅延や電圧降下等を防止することが可能となる。さらに、この引き回し配線を用いることにより、１つ前の配線板から送られてきた第１の信号を、１つ後の配線板へ簡単に伝達することが可能となる。尚、第１の信号用配線と引き回し配線というように名称を分けて記載しているが、第１の信号用配線が引き回し配線を兼ねている場合でも構わない。
【００３６】
また、第２の配線のうち、液晶駆動用ＩＣのための駆動電源を供給するための配線および第２の信号用配線の先端部が、屈曲して隣接する配線板と対向する辺の端部まで延設されていることにより、隣接する配線板上の対応する第２の配線との距離を最短化することができ、ひいては両者間の信号授受を低抵抗化の下で行うことができる。
【００３７】
また、第２の配線は、液晶パネルに設けられた電極端子と接続配線を介して隣接する配線板の第２の配線と電気的に接続されていることにより、配線板間の信号授受に用いられる接続配線をできるだけ短くし、ひいては信号授受を可及的に低抵抗化することができる。
【００３８】
また、接続配線は高抵抗配線と低抵抗配線とを含み、第２の信号用配線と隣接する配線板の第２の信号用配線は低抵抗配線により電気的に接続されていることにより、第２の信号の遅延や電圧降下等を防止することができる。尚、低抵抗配線とは高抵抗配線と比べて抵抗が低いということである。接続配線は、後述するように（図２に示す構造）、配線長や配線幅などからほぼ数種類（図２では２種類）に分けられるものと考えられる。その場合に、低抵抗配線とは、その中で一番抵抗が低い種類の配線であることになる。
【００３９】
【００４０】
【００４１】
【００４２】
また、前記配線板の表面に接地端子を露出させ、外部接地端子と直接接触させていることにより、さらに接続抵抗の低抵抗化を図ることができる。
【００４３】
【発明の実施の形態】
（実施形態１）
以下に本発明の実施形態１について説明を行う。
【００４４】
図１（ａ）は本実施形態の液晶表示装置を説明するための概略図である。また、図１（ｂ）は本実施形態の液晶表示装置に搭載するソースＴＣＰを示す概略図である。
【００４５】
図１（ａ）において、液晶表示装置１は液晶パネル１１、ゲートＴＣＰ１２、信号入力用ＦＰＣ１３及びソースＴＣＰ１４からなる。また、液晶表示パネル１１は、周縁部にゲートＴＣＰ、信号入力用ＦＰＣ及びソースＴＣＰ１４に接続される複数の端子と、中央部に表示画面である絵素部とから構成される。ここで、液晶表示パネル１１として、ＴＦＴ（Ｔｈｉｎ  Ｆｉｌｍ  Ｔｒａｎｓｉｓｔｏｒ）型液晶表示パネルを用いる場合を考えて、絵素部の説明を行う。図面から見て裏側の基板には、複数の画素電極と、各々の画素電極に設けられたＴＦＴ素子と、ＴＦＴ素子のオン・オフを制御するためのゲート線と、ＴＦＴ素子を通じて画素電極に電圧を供給するためのソース線とが設けられ、ゲート線にはゲートＴＣＰから信号が供給され、ソース線にはソースＴＣＰから信号が供給される。図面から見て表側の基板には、対向電極が設けられる。そして、表側の基板と裏側の基板の間には液晶層が狭持され、複数の画素電極と対向電極の両方に電圧が供給されることにより表示を行うことができる。
【００４６】
図１（ｂ）において、ソースＴＣＰ１４はフレキシブル基材１０の上に液晶駆動用ＩＣ、ジャンパーチップ１６、バイパスコンデンサ１７及びその他の図示しない配線群が搭載されてなる。
【００４７】
本実施形態の液晶表示装置の構成においては、画像データ信号、液晶駆動用ＩＣのための駆動電源、液晶パネルへの対向電圧等は全て信号入力用ＦＰＣ１３から導入されており、導入された信号はゲートＴＣＰ１２或いはソースＴＣＰ１４内の配線を順次伝搬して行くことにより、従来使用していた大型の外部回路基板を削減した構造となっている。
【００４８】
次に、本実施形態におけるソースＴＣＰ１４の回路パターン及び隣接するＴＣＰへの信号伝搬方法について説明を行う。
【００４９】
図２は、本実施形態のソースＴＣＰ１４の回路パターン及び隣接するＴＣＰへの信号伝搬経路を説明するための概略図である。図２（ａ）はソースＴＣＰの回路パターンを示す概略図であり、図２（ｂ）は液晶パネルの周縁部の回路パターンであって、図２（ａ）のソースＴＣＰが接続される部分に相当する。
【００５０】
図２（ａ）に示すソースＴＣＰ１４は、フレキシブル基材１０上に液晶駆動用ＩＣ１５が搭載されている。また、この液晶駆動用ＩＣ１５の周囲には液晶駆動用ＩＣ１５に信号を入力するための信号入力配線１８ａ、液晶駆動用ＩＣ１５からの出力信号を液晶パネル１１に送るための第１の信号出力配線１９ａ、液晶駆動用ＩＣ１５からの出力信号を隣接する次段ＴＣＰへ送るための第２の信号出力配線２０ａ、液晶駆動用ＩＣ１５を駆動するための電源配線２１、液晶パネル１１へ対向電極信号を送るための対向電極配線２２ａ、２２ａ’が設けられている。
【００５１】
尚、上記電源配線２１は、一部が屈曲あるいは分岐することにより液晶駆動用ＩＣ１５に一部接続されて液晶駆動用ＩＣ１５に電源電圧を供給するとともに、隣接するＴＣＰ上の端子と電気的に接続されて、前段ＴＣＰから電源電圧を導入する機能、或いは次段ＴＣＰへ順次電源を供給する機能を有している。また、この電源配線２１は隣接するＴＣＰとの接続方法から２種に大別され、電源配線２１ａと電源配線２１ａ’とからなる。
【００５２】
また、ソースＴＣＰ１４は略帯状の領域からなる端子接続部２３（点線で示す）において液晶パネル１１の周縁部にある端子と接続されている。尚、ソースＴＣＰ１４の両端部に配置されている数本の配線（２１ａ’及び２２ａ’）は先端部が屈曲し、かつその端面がＴＣＰの両側端部までそれぞれ延設されている。
【００５３】
また、対向電極用配線２２ａ、２２ａ’は互いにジャンパーチップ１６により電気的に接続されている構造となっている。尚、ジャンパーチップ１６は下層の配線とは絶縁膜を介して接続されているため、重なり合う配線と電気的な影響はない。
【００５４】
さらに、電源配線２１ａ、２１ａ’には、バイパスコンデンサ１７が接続されている。バイパスコンデンサ１７を設けることにより、液晶駆動用ＩＣ１５へ供給される電圧の安定化を図ることができる。
【００５５】
一方、図２（ｂ）に示すように、液晶パネル１１側には、図２（ａ）のソースＴＣＰ１４上の端子配列に対応して複数の端子が設けられている。例えば、絵素部へ信号電圧を出力するための第１の信号出力端子１９ｂ、液晶駆動用ＩＣ１５からの出力信号を隣接するＴＣＰへ送るための第２の信号出力端子２０ｂ、液晶駆動用ＩＣ１５を駆動するための電源端子２１ｂ、２１ｂ’、対向電極へ信号を伝搬するための対向電極用端子２２ｂ、２２ｂ’等が設けられている。
【００５６】
上記第１の信号出力端子１９ｂは配線２６を介し絵素部と電気的に接続されている。また、対向電極用端子２２ｂは配線２７を介して液晶パネルの対向電極と電気的に接続されている。また、第２の信号出力端子２０ｂと電源端子２１ｂは隣接するＴＣＰに対応する第１の信号入力端子１８ｂ及び電源端子２１ｂへ高抵抗配線２４を介してそれぞれ接続されている。さらに、電源端子２１ｂ’は低抵抗配線２５を介して隣接するＴＣＰに対応する電源端子２１ｂ’と接続されている。ここで、低抵抗配線２５とは、高抵抗配線２４と比較して低抵抗化する必要がある配線のことである。一般的に、配線を低抵抗化するためには、配線材料そのものを低抵抗化することと、構造を最適化する（配線幅を大きくする、配線の本数を増やす、配線長を短くするなど）ことが有効であるが、本発明では、後述するとおり、後者により低抵抗化する手法を採用した。
【００５７】
尚、以上説明したソースＴＣＰ１４と液晶パネル１１は端子接続部２３内の互いに対応する接続端子間に異方性導電膜を介することにより電気的に接続されている。また、本実施形態では液晶パネル１１側及びソースＴＣＰ１４側の接続端子群が、ＴＣＰの長手方向に沿って略帯状に配列されているため、異方性導電テープ等の貼付を極めて簡単に行うことができる。
【００５８】
次に、上記構成の液晶表示装置の信号伝搬経路について説明を行う。尚、本実施形態で使用する配線板（ＴＣＰ）内には複数の“配線”が形成されているが、大別すれば、パネルへ信号を出力するための配線と隣接する配線板間での信号授受に寄与する配線とがある。さらに、本願で使用している“信号”という言葉はその意味合いにおいて少なくとも３つの信号を含む。すなわち、液晶パネルの絵素によって表示される映像データに係る“映像信号電圧”、液晶パネルの対向電極を駆動するための“対向電極用電源電圧”、そして、配線板上のＩＣチップを駆動するための“ＩＣ駆動用電源電圧”である。そこで、以下ではこれら３通りの“信号”に関する伝搬経路についてそれぞれ説明を行うことにする。
【００５９】
（１）映像信号電圧について：  前段ＴＣＰ（仮想的に図２（ｂ）の向かって左手にあるとする）または信号入力ＦＰＣ１３から導入された信号は、液晶パネル１１上の信号入力端子１８ｂ及びこれに対応するソースＴＣＰ１４内の信号入力配線１８ａを介して液晶駆動用ＩＣ１５に入力される。この信号を基に生成された信号は液晶駆動用ＩＣ１５から第１の信号出力配線１９ａ及び液晶パネル１１側の第１の信号出力端子１９ｂを介し、絵素方向へ出力される。
【００６０】
また、液晶駆動用ＩＣ１５からは別途、第２の信号出力配線２０ａを介して、隣接する次段（仮想的に図２（ｂ）の向かって右手にあるとする）ＴＣＰ方向へ信号が出力される。この信号は、液晶パネル側の対応する第２の信号出力端子２０ｂへ伝達され、液晶パネル１１上の高抵抗配線２４を介し、次段ＴＣＰに対応する信号入力端子１８ｂへ導入される。
【００６１】
（２）対向電極用電源電圧について：  前段ＴＣＰまたは信号入力ＦＰＣ１３から導入された電源電圧は、液晶パネル１１上の対向電極用端子２２ｂ’を介し、ＴＣＰ上の対向電極用配線２２ａ’の一端に導入される。導入された電源は対向電極用配線２２ａ’を経て他端へ伝達され、先端部で液晶パネル１１側に形成された対向電極用端子２２ｂ’に接続され、次段ＴＣＰへ伝搬される。
【００６２】
ところで、対向電極信号は、液晶パネル１１へ供給されるとともに、特に低抵抗でＴＣＰ間を伝搬させる必要がある。このことを達成するために、本実施形態は以下のような特徴構成をさらに有している。
【００６３】
第１に、次段ＴＣＰとの接続は、図２（ｂ）に示すように、低抵抗配線２５を介して行われる。上述したように、対向電極用配線２２ａ’の先端は屈曲してその端面がＴＣＰの両側面まで延設された形状なので、隣接するＴＣＰ内の対向電極用配線２２ａ’と互いに対向させることができる。このため、次段ＴＣＰとの接続に用いる低抵抗配線２５の配線を直線化することにより、配線長を最短化することができ、ひいては配線長の点から低抵抗配線２５を低抵抗化することが可能となる。また、配線の先端部を屈曲させ、この配線及び対応する液晶パネル側端子を横長形状とする等すれば、複数の配線についてその先端部を配線板の側端部まで延設することができ、複数の配線について低抵抗の下で信号授受を行うことが可能となる。
【００６４】
第２に、ＴＣＰの中央寄りに設けられた対向電極用配線２２ａは、ＴＣＰ外側に設けられた対向電極用配線２２ａ’とジャンパーチップ１６を介して電気的に接続されている。ＴＣＰ上の配線は液晶パネル１１上の配線と比較して非常に低抵抗なため、対向電極用配線２２ａ’に導入された電源の一部を、低抵抗で対向電極用配線２２ａへ伝搬させることができる。対向電極用配線２２ａに供給された電源はさらに液晶パネル側の対向電極用端子２２ｂを介して対向電極へと供給される。
【００６５】
尚、ここで、対向電極用配線２２ａがＴＣＰの中央寄りに形成されている理由を説明する。
【００６６】
一般に、液晶パネル１１上では、配線同士を交差させない（すなわち、多層配線構造になるのを避ける）ことが信頼性上及びパネルプロセス上の制約、信号伝搬精度（信号安定性、ノイズ等）の観点から好ましいとされている。この点を考慮すれば、隣接するＴＣＰとの信号授受に用いられる配線（すなわち、本実施形態では信号入力端子１８ｂ、第２の信号出力端子２０ｂ、電源端子２１ｂ、２１ｂ’、対向電極用端子２２ｂ’、高抵抗配線２４、低抵抗配線２５）をＴＣＰの両端部に相当する部分に形成するとともに、液晶パネル１１上の配線のうち、液晶パネル１１へ信号を直接入力するための配線経路（すなわち、本実施形態では第１の信号出力端子１９ｂ及び対向電極用端子２２ｂと、それらに接続される配線２６、２７）をＴＣＰ中央部に相当する部分に形成することが好ましい。このため、ＴＣＰ上で対向電極用配線２２ａが中央寄りに配線されているのである。
【００６７】
（３）ＩＣ駆動用電源電圧について：  前段ＴＣＰ或いは信号入力用ＦＰＣ１３から導入された電源は、液晶パネル１１上の電源端子２１ｂ、２１ｂ’を介してソースＴＣＰ１４内の電源配線２１ａ、２１ａ’の一端に導入される。導入された電源は、一部が屈曲または分岐することにより液晶駆動用ＩＣ１５に接続された電源端子２１ａ、２１ａ’を経た後、電源配線２１ａ、２１ａ’の他端へ伝達される。さらにその先端部が液晶パネル１１側の電源端子２１ｂ、２１ｂ’に接続されており、電源は次段ＴＣＰへ導入される。
【００６８】
尚、本実施形態の電源配線２１と次段ＴＣＰとの接続は、図２（ｂ）に示すように高抵抗配線２４及び低抵抗配線２５を介して行われている。これは伝搬させる信号の種類に応じて（つまりは電圧降下のマージンに応じて）決定されている。しかし、必ずしもこの構成でなくてもよく、異なる信号がそれぞれ同程度の電圧降下マージンを有するものであれば同程度の抵抗値を有する配線を用いて接続すればよい。
【００６９】
また、電源配線２１ａ’の先端は、上述した対向電極用配線２２ａ’と同様の形状であるため、隣接するＴＣＰとの接続に用いる低抵抗配線２５の配線を直線化することで配線長を最短化することができ、ひいては低抵抗配線２５をさらに低抵抗化することが可能となる。また、本実施形態のように配線の先端部を屈曲させ、この配線及び対応する液晶パネル側端子を横長形状とする等すれば、複数の配線についてその先端部を配線板の側端部まで延設することができ、複数の配線について低抵抗の下で信号授受を行うこともできる。
【００７０】
以上のような構成とすることにより、特に低抵抗の下でＴＣＰ間に信号を伝搬させる必要のある配線は低抵抗配線により隣接するＴＣＰと接続されており、一方、比較的抵抗値の許容量が高い端子は、高抵抗配線により隣接するＴＣＰと接続されている。
【００７１】
次に、本実施形態におけるゲートＴＣＰの回路パターン及び隣接するＴＣＰへの信号伝搬方法を説明する。
【００７２】
図３は、本実施形態のゲートＴＣＰ１２の回路パターン及び隣接するＴＣＰへの信号伝搬経路を説明するための概略図である。図３（ａ）はゲートＴＣＰ１２の回路パターンを示す概略図であり、図３（ｂ）は液晶パネル１１の周縁部の回路パターンであって、図３（ａ）のゲートＴＣＰ１２が接続される部分に相当する。
【００７３】
図３（ａ）において、ゲートＴＣＰ１２には、液晶駆動用ＩＣ３５が搭載されている。また、この液晶駆動用ＩＣ３５の周囲には液晶駆動用ＩＣ３５に前段ＴＣＰから信号を導入するための信号入力配線３８ａ、液晶駆動用ＩＣ３５から出力された信号を液晶パネル１１に送るための第１の信号出力配線３９ａ、液晶駆動用ＩＣ３５から出力された信号を隣接するＴＣＰへ送るための第２の信号出力配線４０ａ、液晶駆動用ＩＣ３５を駆動するための電源配線４１、液晶駆動用ＩＣ３５を経ず信号を直接液晶パネル１１へ導入するための直接入力配線５０ａが設けられている。
【００７４】
ここで、上記電源配線４１は、上記したソースＴＣＰ１４と同様、一部が屈曲あるいは分岐することにより液晶駆動用ＩＣ３５に一部接続されて液晶駆動用ＩＣ３５に信号を供給するとともに、隣接するＴＣＰに対応する端子にも接続されて次段ＴＣＰ上へ順次信号を供給する機能を有している。また、この電源配線４１は、隣接するＴＣＰとの接続方法から２種に大別され、電源配線４１ａと電源配線４１ａ’からなる。
【００７５】
尚、ゲートＴＣＰ１２は端子接続部４３（点線で示す）において液晶パネル１１の周縁部にある端子と接続されている。図３の端子接続も図２の構成と同様に、ゲートＴＣＰ１２の長手方向及び液晶パネル１１の基板端部に略帯状に広がる部分において行われているため、接続工程を非常に簡単化することができる。
【００７６】
また、電源配線４１のうち、最も内側に形成された電源配線４１ａ’は図面から見て、接続端子部４３の下側で２度、上側で１度引き回され、直接入力配線５０ａを囲むようにして、先端部がＴＣＰの最外端に配設されてきている。一方、電源配線４１よりもＴＣＰ外郭寄りに形成されている直接入力配線５０ａは、端子接続部４３の近傍で屈曲することにより、先端部がＴＣＰの中央寄りに引き回されている。
【００７７】
一方、図３（ｂ）に示すように、液晶パネル１１側には図３（ａ）に示すゲートＴＣＰ１２上の端子配列に対応して複数の端子が設けられている。例えば、前段ＴＣＰまたは信号入力ＦＰＣ１３からの信号をＴＣＰへ伝達するための信号入力端子３８ｂ、絵素部へ信号を出力するための第１の信号出力端子３９ｂ、液晶駆動用ＩＣ３５からの出力信号を隣接するＴＣＰへ送るための第２の信号出力端子４０ｂ、直接入力信号端子５０ｂ等が設けられている。
【００７８】
上記第１の信号出力端子３９ｂは配線４６を介して絵素部と電気的に接続されている。また直接入力端子５０ｂは配線４７を介して絵素部と電気的に接続されるとともに、配線４７から分岐する配線によって別途隣接するＴＣＰに対応する直接入力端子５０ｂ及び直接入力配線５０ａと電気的に接続されている。尚、本実施形態では、直接入力配線５０ａ及び直接入力端子５０ｂは補助容量電極用信号を伝搬するものであるが、これに限定されるものではない。また、配線４６と高抵抗配線４４の間の領域は比較的配線密度が低いので、配線４７の線幅を広げて抵抗値を適宜調整することも比較的容易である。
【００７９】
また、第２の信号出力端子４０ｂと電源端子４１ｂは隣接するＴＣＰに対応する第１の信号入力端子３８ｂ及び電源端子４１ｂへ高抵抗配線４４を介してそれぞれ接続されている。さらに、電源端子４１ｂ’は低抵抗配線４５を介して隣接するＴＣＰに対応する電源端子４１ｂ’と接続されている。
【００８０】
以上の構成により、特に低抵抗でＴＣＰ間を伝搬する必要のある電源端子（電源、及び対向電極）は、低抵抗配線により隣接するＴＣＰと接続されており、比較的抵抗値の許容量が高い端子は、高抵抗配線により隣接するＴＣＰと接続されている。
【００８１】
また、液晶パネル１１上においてもゲートＴＣＰ１２上においても配線同士が互いに交じり合うことなく、或いは多層化されることのない構成のため、信頼性が高く、製造コストが安価となる。
【００８２】
尚、以上説明した本実施形態において、配線の本数ならびに配線の用途についてはこれに限定されるものではない。また、ソースＴＣＰ及びゲートＴＣＰを別個に説明したが、これに限定されるものではない。さらに、本実施形態では一例としてＴＣＰのみについて説明したがこれに限定されるものではなく、ＦＰＣに液晶駆動用ＩＣを実装したあらゆるパッケージを用いることができることは言うまでもない。
【００８３】
（実施形態２）
本発明の別の実施形態について図面を参照して説明を行う。
【００８４】
図４（ａ）は本実施形態の液晶表示装置を説明するための概略図である。図４（ｂ）は本実施形態の液晶表示装置に搭載するソースＴＣＰを示す概略図である。
【００８５】
図４（ａ）において、液晶表示装置１００は、液晶パネル１１１、ゲートＴＣＰ１１２、信号入力用ＦＰＣ１１３、ソースＴＣＰ１１４からなる。
【００８６】
図４（ｂ）において、ソースＴＣＰ１１４は、フレキシブル基材上に液晶駆動用ＩＣ１１５及び図示しない配線が搭載されてなる。
【００８７】
本実施形態でも、画像を表示するために必要な信号、ＩＣ駆動電源、液晶パネルへの対向電極等は、全て信号入力用ＦＰＣ１１３から入力されており、ゲートＴＣＰ１１２或いはソースＴＣＰ１１４を順次伝搬して行くことにより、従来使用していた大型の外部回路基板を削減した構造となっている。
【００８８】
次に、本実施形態におけるソースＴＣＰ１１４の回路パターン及び次段ＴＣＰへの信号伝搬方法について説明を行う。
【００８９】
図５は、本実施形態のソースＴＣＰ１１４の回路パターン及び次段ＴＣＰへの信号伝搬経路を説明するための概略図である。また、図５（ａ）はソースＴＣＰの回路パターンを示す概略図であり、図５（ｂ）は液晶パネルの周縁部の回路パターンであって、図５（ａ）のソースＴＣＰが接続される部分に相当する。
【００９０】
図５（ａ）において、ソースＴＣＰ１１４上には液晶駆動用ＩＣ１１５が搭載されている。また、この液晶駆動用ＩＣ１１５の周囲には液晶駆動用ＩＣ１１５に信号を入力するための信号入力配線１１８ａ、液晶駆動用ＩＣ１１５からの出力信号を液晶パネル１１１に送るための第１の信号出力配線１１９ａ、液晶駆動用ＩＣ１１５からの出力信号を隣接するＴＣＰへ送るための第２の信号出力配線１２０ａ、液晶駆動用ＩＣ１１５を駆動するための電源配線１２１、液晶パネル１１１へ対向電極信号を送るための対向電極配線１２２ａが設けられている。
【００９１】
尚、上記電源配線１２１は一部が屈曲あるいは分岐することにより液晶駆動用ＩＣ１１５に一部接続されて液晶駆動用ＩＣ１１５に電源を供給するとともに、次段ＴＣＰに対応する端子にも接続されて順次電源を供給する機能を有している。また、この電源配線１２１は隣接するＴＣＰとの接続方法から２種に大別され、電源配線１２１ａと電源配線１２１ａ’とからなる。
【００９２】
また、ソースＴＣＰ１１４は端子接続部１２３（点線で示す）において液晶パネル１１１の周縁部にある端子と接続される。
【００９３】
ソースＴＣＰ１１４の外側に配置されている電源配線１２１ａ’は端子接続部１２３内で先端部が屈曲し、かつその先端部がＴＣＰの両側端部までそれぞれ延設されている。
【００９４】
本実施形態では、対向電極用配線１２２ａはその中央部が液晶駆動用ＩＣ１１５の下部（フレキシブル基材との接続面側）に配設されるとともに、一部が接続端子部１２３の外側で引き回されることにより端部がＴＣＰの側方に配設されている。
【００９５】
一方、図５（ｂ）に示すように、液晶パネル１１１側にはソースＴＣＰ１１４上の端子配列に対応して複数の端子が設けられている。例えば、絵素部へ信号を出力するための第１の信号出力端子１１９ｂ、液晶駆動用ＩＣ１１５からの出力信号を次段ＴＣＰへ送るための第２の信号出力端子１２０ｂ、液晶駆動用ＩＣ１１５を駆動するための電源端子１２１ｂ、１２１ｂ’、対向電極へ信号を伝搬するための対向電極用端子１２２ｂ、１２２ｂ’等が設けられている。
【００９６】
上記第１の信号出力端子１１９ｂは配線１２６を介し絵素部と電気的に接続されている。また、対向電極用端子１２２ｂは配線１２７を介して液晶パネルの対向電極と電気的に接続されている。また、第２の信号出力端子１２０ｂと電源端子１２１ｂは隣接するＴＣＰに対応する第１の信号入力端子１１８ｂ及び電源端子１２１ｂへ高抵抗配線１２４を介してそれぞれ接続されている。さらに、電源端子１２１ｂ’及び対向電極用端子１２２ｂ’はそれぞれ低抵抗配線１２５を介して隣接するＴＣＰに対応する電源端子１２１ｂ’及び対向電極用端子１２２ｂ’と接続されている。
【００９７】
以上の構成により特に低抵抗でＴＣＰ間を伝搬させる必要のある端子は、低抵抗配線１２５により隣接するＴＣＰと接続されており、比較的抵抗値の許容量が高い端子は、高抵抗配線１２４により隣接するＴＣＰと接続されている。また、対向電極配線は、ＴＣＰ内に形成された配線により両端部を結んであるので、複数のＴＣＰ間を低抵抗で伝搬させることができる。
【００９８】
尚、本実施形態のソースＴＣＰは、フレキシブル基材の片面に液晶駆動用ＩＣ１１５及び配線が形成されている。しかしフレキシブル基材の何れの面に配線やチップが形成されるか否かは本発明において特に限定されるべきものではない。
【００９９】
また、ゲート側の配線構成は実施形態１に示したものと同様のものを用いることができるが、これに限定されることはない。
【０１００】
（実施形態３）
以下に本発明のさらに別の実施形態について説明を行う。
【０１０１】
図６（ａ）において、液晶表示装置２００は、液晶パネル２１１、ゲートＴＣＰ２１２、信号入力用ＦＰＣ２１３、ソースＴＣＰ２１４、ＧＮＤ電極２２１からなる。
【０１０２】
図６（ｂ）において、ソースＴＣＰ２１４は、フレキシブル基材上に液晶駆動用ＩＣ２１５、ＧＮＤパターンが表面に露出しているパッド２２０が設けられている。
【０１０３】
本実施形態では、ＴＣＰ上のパッド２２０を共通電位にするためにＧＮＤ電極２２１を接触させ、ＧＮＤ電位を安定化させている。このＧＮＤ電極２２１は、液晶表示装置のベゼルと一体化させてもよい。尚、ソースＴＣＰ及びゲートＴＣＰは、上記実施形態１または２に示す配線構造と同様である。
【０１０４】
本実施形態は、上記実施形態１、２の手法によっても配線抵抗の低抵抗化が十分でない場合に有効となりうる。特に、パネルサイズの大型化により配線抵抗が上昇してしまう場合や、高精細化により駆動周波数が上昇してしまう場合等に本実施形態を採用することが効果的である。
【０１０５】
【発明の効果】
本願発明は、信号伝搬方式の液晶表示装置に関するものである。これに搭載されている複数の配線板は、それぞれの周縁に略帯状の領域（端子接続部）内に複数の接続端子を有しており、接続端子はその領域内で液晶パネル上の対応する電極端子と電気的に接続している。さらに、配線板上の接続端子は、略帯状の領域の長手方向の中央部に絵素部へ信号を供給するための端子群（第１の配線）が、第１の配線よりも端部側に隣接する配線板との信号授受に寄与する端子群（第２の配線）が設けられている。第２の配線は、少なくとも、各配線板に搭載された液晶駆動用ＩＣのための駆動電源を供給するための配線を含んでいる。このように、端子接続部が略帯状となっているため、配線板と液晶パネルとの接続を一括して行うことができる。また、互いに隣接する配線板では、信号授受に寄与する端子群が互いに近接して設けられるため、信号伝搬方式であっても非常に低抵抗の下で、配線板間の信号授受を行うことができる。以上により、本発明によれば、外部回路基板を廃止することが可能となり、このことにより部材コストの削減、外部回路基板接続工程廃止による工程削減、工程数削減による良品率の向上、モジュール形態の簡素化による薄型化、組み立て工数の削減等を図ることができる。
【０１０６】
また、第１の配線は絵素部に液晶駆動用ＩＣを経由しない第１の信号（例えば対向電圧）を供給するための第１の信号用配線を含み、第２の配線は隣接する配線板へ第１の信号を供給するための第２の信号用配線を含むとともに、第１の信号用配線と第２の信号用配線とが配線板上で互いに電気的に接続されていることにより、液晶パネル上で他の配線と交わることなく例えば対向電圧を液晶パネルへ供給することができる。また、対向電圧の伝搬経路を可及的に低抵抗化することができる。
【０１０７】
また、第１の信号用配線と第２の信号用配線とが、他の配線を跨ぐジャンパー配線により電気的に接続されていることにより、低抵抗かつ簡単な工程で両配線を接続することができる。さらに、配線板の面積を拡大することなく配線同士を接続するので、液晶表示装置の額縁幅を最小にとどめることができる。
【０１０８】
また、第１の信号用配線と第２の信号用配線とが、端子接続部の外側で引き回し配線を利用して電気的に接続されていることにより、配線板の製造工程を増やす必要がなく、かつ、低抵抗で両配線を接続することができる。
【０１０９】
また、配線板内には２本の第１の信号用配線を含み、２本の第１の信号用配線同士が、端子接続部の外側で引き回し配線を利用して電気的に接続されていることにより、第２の信号用配線から供給される第１の信号を２個所から絵素部へ出力することができるので、第１の信号用配線自体の低抵抗化を図ることができ、第１の信号の遅延や電圧降下等を防止することが可能となる。さらに、この引き回し配線を用いることにより、１つ前の配線板から送られてきた第１の信号を、１つ後の配線板へ簡単に伝達することが可能となる。
【０１１０】
また、第２の配線のうち、液晶駆動用ＩＣのための駆動電源を供給するための配線および第２の信号用配線の先端部が、屈曲して隣接する配線板と対向する辺の端部まで延設されていることにより、隣接する配線板上の対応する第２の配線との距離を最短化することができ、ひいては両者間の信号授受を低抵抗化の下で行うことができる。
【０１１１】
また、第２の配線は、液晶パネルに設けられた電極端子と接続配線を介して隣接する配線板の第２の配線と電気的に接続されていることにより、配線板間の信号授受に用いられる接続配線をできるだけ短くし、ひいては信号授受を可及的に低抵抗化することができる。
【０１１２】
また、接続配線は高抵抗配線と低抵抗配線とを含み、第２の信号用配線と隣接する配線板の第２の信号用配線は低抵抗配線により電気的に接続されていることにより、第２の信号の遅延や電圧降下等を防止することができる。
【０１１３】
【０１１４】
【０１１５】
【０１１６】
また、前記配線板の表面に接地端子を露出させ、外部接地端子と直接接触させていることにより、さらに接続抵抗の低抵抗化を図ることができる。
【図面の簡単な説明】
【図１】（ａ）は実施形態１の液晶表示装置を説明するための概略図、（ｂ）は実施形態１の液晶表示装置に搭載するソースＴＣＰを示す概略図である。
【図２】（ａ）は実施形態１のソースＴＣＰの回路パターンを示す概略図、（ｂ）は（ａ）のソースＴＣＰが接続される液晶パネルの周縁部の回路パターンである。
【図３】（ａ）は実施形態１の液晶表示装置に搭載されるゲートＴＣＰの回路パターンを示す概略図、（ｂ）は（ａ）のゲートＴＣＰが接続される液晶パネルの周縁部の回路パターンである。
【図４】（ａ）は実施形態２の液晶表示装置を説明するための概略図、（ｂ）は実施形態２の液晶表示装置に搭載するソースＴＣＰを示す概略図である。
【図５】（ａ）は実施形態２のソースＴＣＰの回路パターンを示す概略図、（ｂ）は（ａ）のソースＴＣＰが接続される液晶パネルの周縁部の回路パターンである。
【図６】（ａ）は実施形態３の液晶表示装置を説明するための概略図、（ｂ）は実施形態３の液晶表示装置に搭載するソースＴＣＰを示す概略図である。
【図７】従来の液晶表示装置の概略構成を示す図である。
【図８】従来の液晶表示装置の概略構成を示す図である。
【符号の説明】
１、１００、２００、５００    液晶表示装置
１０、５０６    フレキシブル基材
１１、１１１、２１１、５０１    液晶パネル
１２、１１２、２１２、５０２    ゲートＴＣＰ
１３、１１３、２１３    信号入力用ＦＰＣ
１４、１１４、２１４、５０３    ソースＴＣＰ
１５、３５、１１５、２１５、５０５    液晶駆動用ＩＣ
１６    ジャンパーチップ
１７    バイパスコンデンサ
１８ａ、３８ａ、１１８ａ    （液晶駆動用ＩＣへの）信号入力配線
１８ｂ、３８ｂ、１１８ｂ    （液晶駆動用ＩＣへの）信号入力端子
１９ａ、３９ａ、１１９ａ    第１の信号出力配線
１９ｂ、３９ｂ、１１９ｂ    第１の信号出力端子
２０ａ、４０ａ、１２０ａ    第２の信号出力配線
２０ｂ、４０ｂ、１２０ｂ    第２の信号出力端子
２１ａ、２１ａ’、４１ａ、４１ａ’、１２１ａ、１２１ａ’    電源配線
２１ｂ、２１ｂ’、４１ｂ、４１ｂ’、１２１ｂ、１２１ｂ’    電源端子
２２ａ、２２ａ’、１２２ａ、１２２ａ’    対向電極用配線
２２ｂ、２２ｂ’、１２２ｂ、１２２ｂ’    対向電極用端子
２３、４３、１２３    端子接続部
２４、１２４    高抵抗配線
２５、１２５    低抵抗配線
２６、２７、４６、４７、１２６、１２７、１４６、１４７    配線
５０ａ    直接入力配線
２２０    パッド
２２１    ＧＮＤ電極
５０４    回路基板
【図１】
0003595754.tif 000002
【図２】
0003595754.tif 000003
【図３】
0003595754.tif 000004
【図４】
0003595754.tif 000005
【図５】
0003595754.tif 000006
【図６】
0003595754.tif 000007
【図７】
0003595754.tif 000008
【図８】
0003595754.tif 000009